(57)【要約】      （修正有）【課題】表装板の取り替えを容易に行え、長さを有する枠体の中間部の中膨れを防止し、背板にビス、接着剤等で固着する取付台を延設して、枠体の枢動を可能又は枢動を不可能にロックし、更には、角部継手を不要とするパネル用中間継手の提供。【解決手段】本発明の中間継手３は枢動軸受部１ａに嵌入させる枢動軸支点３ａと中仕切側係止部１ｄに係止させる湾曲部側係止部３ｂとを形成した枢動基部３ｃと、枢動基部３ｃから延設した湾曲部３ｄと取付台連結部３ｅと、取付台連結部３ｅに延設した固着部３ｆを形成した取付台３ｇと、湾曲部３ｄに立設した湾曲部側揺動部３ｈと、湾曲部側揺動部３ｈに揺動可能に装着するシーソー杆側揺動部４ａを形成したシーソー杆４と、シーソー杆４に形成した押圧部４ｂと枢動基部３ｃと湾曲部３ｄとの開口に挿脱する弾性規制部４ｃと、を備えた。【選択図】図３
2007061550.tif 000002
【特許請求の範囲】
【請求項１】
側面の内側の長手方向の一辺に形成した枢動軸受部と他辺に形成した係着部との間に延設させ先端に中仕切側係止部を設けた断面略円弧状の中仕切とを備えた長さを有する枠体と、該枠体の係着部で内抱保持される背板と表装板と、前記背板に固着され前記枠体に枢動可能に組み込まれたパネル体用中間継手であって、前記中間部継手は一辺に前記枢動軸受部に嵌入させる枢動軸支点と他辺に前記中仕切側係止部に開状態で係止させる湾曲部側係止部とを形成した板状の枢動基部と、該枢動基部の他辺近傍から延設した前記中仕切の内側形状と略同形状の湾曲部と前記枠体と枢動可能とするように中仕切の先端を跨いで外側に延びる取付台連結部と、該取付台連結部に延設した前記背板に固着する固着部を形成した取付台と、前記湾曲部の内側に前記枢動基部と平行させて立設した湾曲部側揺動部と、該湾曲部側揺動部に揺動可能に装着するシーソー杆側揺動部を形成した棒状のシーソー杆と、該シーソー杆に形成した揺動させるための押圧部と膨出させて形成した前記枢動基部と前記湾曲部との開口に挿脱する弾性規制部と、を備えたことを特徴とするパネル体用中間継手。
【発明の詳細な説明】
【技術分野】
【０００１】
本発明は特に大型の展示用のパネル体に用いるパネル体用中間継手に関するものであり、更に、詳細には、背板に固着した中間継手に枢動可能に枠体を組み付けた大型のパネル体の長さを有する枠体の中程の中膨れを防止したり角部継手を不要とするパネル体用中間継手に関するものである。
【背景技術】
【０００２】
大型のパネル体の枠体は長尺となるため中膨れと成り、枠体の係着部で囲われ押圧されているはずの表装板との間に隙間ができ見栄えが悪く成ったり、負荷がかかって表装板がずれたりすることが頻発しており、表装板の入れ替えが前方向又は横方向からできないタイプのパネル体であればビス等の固定具で枠体を固定すれば良いものの、パネル体の横方向又は前方向に表装板を挿脱して取り替えが可能なタイプのパネル体では固定具を用いると表装板の挿脱が出来なくなり苦慮している実情である。
【０００３】
例えば、先に開示されている、鏡固定具の取り付け後の移動を防止して鏡本体の落下を防止し、使用時における安全性をより高めるものとして、鏡本体１５の縁部に嵌合する嵌合部１と、同嵌合部１に連設され壁面に当接状態で取り付けられる取り付け部２とを備え、同取付け部２に上下方向にスライド可能なビス挿通孔４を備えた鏡固定具において、取り付け部２に更に壁面側に突出し壁面内に設けた取り付け凹部１６に係合される弾性突部５を形成したもの（特許文献１参照）や、フレームの裏面に蟻溝を開口した額縁において、その蟻溝に差し込み得る二股状であって、両脚の下端に蟻溝に脱出不能に引っ掛かる逆足部を設けたプラスチック製の基部体と、額縁内側の内容物を押さえるために、基部体の上端の腰部に内外へ出し入れ可能に保持される同じくプラスチック製のスライド掛止片とからなり、スライド掛止片を先端と基端との間が高くなるアーチ形に形成し、さらに、スライド掛止片の基端に指掛けを設けて内容物押え具を構成したもの（特許文献２参照）や、額縁を構成するフレームの内側に裏止め位置調整方向へ垂直に保持して取り付けられる基盤と、基盤に調整の上下方向へスライド可能に組み合わせる裏止片と、裏止片に一体であってその一側より突出するとともにその突出方向へ付勢される押ボタンとからなり、基盤に、逆止爪が上下に連続して列設される爪板を形成し、押ボタンには、その逆止爪に前記付勢力で掛かる突部爪を設け、逆止爪を額縁の裏側としての上方へ迎え角に下方へ逃げ角に形成したもの（特許文献３参照）や、それぞれ定められた長さの複数の長い枠部材と、該枠部材よりも短かく、外側角部を形成するための交叉する側面を有し、その側面に枠部材が互いに角度をつけて取付けられ、その側面は枠部材が係合される隅連結部材とからなり、枠部材の少くとも１つがその長手方向軸線のまわりに回動するようにされ、前記枠部材は中仕切によって第１及び第２の部分に分割され、前記第１の部分は収容される物の周縁を支持する第１の空間を定めるように形成され、前記第２の部分は前記隅連結部材が固定される第２の空間を定めるように形成され、前記中仕切が回動係止部を有すると共に、前記隅連結部材の上部及び下部に前記中仕切の回動係止部に係止される回動停止部がそれぞれ設けられたことを特徴とするもの（特許文献４参照）等が開示されている。
【特許文献１】特開平５−３０５０２３号公報
【特許文献２】特開平７−２８４４３２号公報
【特許文献３】特開平１０−８０３４７号公報
【特許文献４】特公平７−８７８１３号公報
【発明の開示】
【発明が解決しようとする課題】
【０００４】
然し乍ら、先に開示された特許文献１のものは、鏡本体１５の縁部に嵌合する嵌合部１と、同嵌合部１に連設され壁面に当接状態で取り付けられる取り付け部２とを備え、同取付け部２に上下方向にスライド可能なビス挿通孔４を備えた鏡固定具において、取り付け部２に更に壁面側に突出し壁面内に設けた取り付け凹部１６に係合される弾性突部５を形成したものであるが、壁面にビスで固定するものであり、容易に着脱はできないものである。
【０００５】
更に、特許文献２に記載のものでは、フレームの裏面に蟻溝を開口した額縁において、その蟻溝に差し込み得る二股状であって、両脚の下端に蟻溝に脱出不能に引っ掛かる逆足部を設けたプラスチック製の基部体と、額縁内側の内容物を押さえるために、基部体の上端の腰部に内外へ出し入れ可能に保持される同じくプラスチック製のスライド掛止片とからなり、スライド掛止片を先端と基端との間が高くなるアーチ形に形成し、さらに、スライド掛止片の基端に指掛けを設けて内容物押え具を構成したものであり、図１に図示されたように裏板を押さえるのみのものであり、また、フレーム１が枢動するものでなく、更に、装着は比較的容易なものであろうが、内容物押え具を取り外す場合は工具等を必要とするものである。
【０００６】
更には、特許文献３では、額縁を構成するフレームの内側に裏止め位置調整方向へ垂直に保持して取り付けられる基盤と、基盤に調整の上下方向へスライド可能に組み合わせる裏止片と、裏止片に一体であってその一側より突出するとともにその突出方向へ付勢される押ボタンとからなり、基盤に、逆止爪が上下に連続して列設される爪板を形成し、押ボタンには、その逆止爪に前記付勢力で掛かる突部爪を設け、逆止爪を額縁の裏側としての上方へ迎え角に下方へ逃げ角に形成したものでは、収納体の厚みに拘わらず安定して保持できるものであるが、構造が複雑で着脱も容易でないものである。
【０００７】
加えて、特許文献４は本件出願人が先に出願した特許で、隅連結部材と枠部材が枢動可能に組み付けられるものであり、本発明はこのタイプのパネル体の長さを有する枠体の膨出を防止するためにも用いるものである。
【課題を解決するための手段】
【０００８】
本発明のパネル体用中間継手は、前述の課題に鑑み、鋭意研鑽の結果、一辺に形成した枢動軸受部と他辺に形成した係着部との間に延設させ先端に中仕切側係止部を設けた中仕切とを備えた枠体と、枠体の係着部で内抱保持される背板と表装板と、背板に固着され枠体に枢動可能に組み込まれたパネル体用中間継手であって、中間部継手は一辺に枢動軸受部に嵌入させる枢動軸支点と他辺に中仕切側係止部に係止させる湾曲部側係止部とを形成した板状の枢動基部と、枢動基部から延設した中仕切の内側形状と略同形状の湾曲部と中仕切を跨いで外側に延びる取付台連結部と、取付台連結部に延設した背板に固着する固着部を形成した取付台と、湾曲部の内側に枢動基部と平行させて立設した湾曲部側揺動部と、湾曲部側揺動部に揺動可能に装着するシーソー杆側揺動部を形成したシーソー杆と、シーソー杆に形成した押圧部と膨出させて形成した枢動基部と湾曲部との開口に挿脱する弾性規制部と、を備えたものである。
【発明の効果】
【０００９】
本発明のパネル体用中間継手は、背板に固着し枠体に枢動可能に組み込むことにより表装板の取り替えを容易に行えると共に、長さを有する枠体の中間部の中膨れを防止するもので、枠体に取り付けられた中間継手は背板にビス、接着剤等で固着する取付台を延設して、シーソー杆を揺動させ枢動基部と湾曲部との開口に弾性規制部を挿脱することにより枠体の枢動を可能又は枢動を不可能にロックするもので、更には、角部継手を不要とするもので、画期的であり極めて実用性の高い発明である。
【発明を実施するための最良の形態】
【００１０】
以下、本発明のパネル体用中間継手の実施例の図面を用いて詳細に説明すると、図１は本発明のパネル体用中間継手の実施例で従来のパネル体に用いた全体斜視図であり、図２は本発明のパネル体用中間継手の実施例の要部側面説明図であり、図３は本発明のパネル体用中間継手の実施例の要部の裏側からの一部断面とした要部斜視図であり、図４は本発明のパネル体用中間継手の実施例の原理を説明するロック状態を示す側面説明図であり、図５は本発明のパネル体用中間継手の実施例の原理を説明する解放状態を示す側面説明図である。
【００１１】
本発明は特に大型の展示用のパネル体に用いるパネル体用中間継手に関するものであり、更に、詳細には、背板２に固着した中間継手３に枢動可能に枠体１を組み付けた大型のパネル体の長さを有する枠体１の中程の中膨れを防止したり角部継手を不要とするパネル体用中間継手３に関するものであり、側面の内側の長手方向の一辺に形成した枢動軸受部１ａと他辺に形成した係着部１ｂとの間に延設させ先端に中仕切側係止部１ｄを設けた断面略円弧状の中仕切１ｃとを備えた長さを有する枠体１と、該枠体１の係着部１ｂで内抱保持される背板２と表装板Ａと、前記背板２に固着され前記枠体１に枢動可能に組み込まれたパネル体用中間継手３であって、前記中間継手３は一辺に前記枢動軸受部１ａに嵌入させる枢動軸支点３ａと他辺に前記中仕切側係止部１ｄに開状態で係止させる湾曲部側係止部３ｂとを形成した板状の枢動基部３ｃと、該枢動基部３ｃの他辺近傍から延設した前記中仕切１ｃの内側形状と略同形状の湾曲部３ｄと前記枠体１と枢動可能とするように中仕切１ｃの先端を跨いで外側に延びる取付台連結部３ｅと、該取付台連結部３ｅに延設した前記背板２に固着する固着部３ｆを形成した取付台３ｇと、前記湾曲部３ｄの内側に前記枢動基部３ｃと平行させて立設した湾曲部側揺動部３ｈと、該湾曲部側揺動部３ｈに揺動可能に装着するシーソー杆側揺動部４ａを形成した棒状のシーソー杆４と、該シーソー杆４に形成した揺動させるための押圧部４ｂと膨出させて形成した前記枢動基部３ｃと前記湾曲部３ｄとの開口に挿脱する弾性規制部４ｃと、を備えたことを特徴とするものである。
【実施例】
【００１２】
即ち、本発明のパネル体用中間継手の枠体１は、長さを有してアルミニウム又は硬質合成樹脂等で形成されるもので、枢動軸受部１ａは枠体１の外側と成る側面の内側の長手方向の一辺に形成しており、後述する中間継手３の枢動軸支点３ａを嵌入させて枢動の支点となるものであり、係着部１ｂは後述する背板２と提示物Ａａと表装板Ａとを積合させて内包保持する断面コ字状に折曲さているものであり、中仕切１ｃは前記枢動軸受部１ａと係着部１ｂとの間に延設された断面円弧状のもので後述する背板２と展示物Ａａと表装板Ａの端辺を挿通させる空間と後述する中間継手３を組み込む空間とに仕切るもので、先端には中仕切側係止部１ｄを膨出させているものである。
【００１３】
次に、背板２は矩形状の板体でパネル体の裏面となるもので、表側には後述する展示物Ａａと表装板Ａを積合されるものであり、又、後述する中間継手３の取付台３ｆの固着部３ｅをネジ止め又は接着、固着具等の手段により固着するものである。
【００１４】
次いで、中間継手３は取付台３ｆの固着部３ｅを背板２に固着されると共に、枠体１には背板２に積合された展示物Ａａと表装板Ａの横方向又は前方向に挿脱するために枢動可能に組み込まれて、枠体１の固定、中膨れを防止、又は、枠体１の補強をするものである。
【００１５】
次に、表装板Ａは平坦状の透明樹脂等で板体に形成されたもので、展示物Ａａの上に積合され、展示物Ａａの交換時に取り外すもので、更に、展示物Ａａの下には背板２が積合されると共に、表装板Ａと展示物Ａａとは背板２の上面に積合されて夫々の枠体１の係着部１ｂで内抱保持されるものである。
【００１６】
そして、中間継手３は板状の枢動基部３ｂと断面略円弧状の湾曲部３ｃと中仕切１ｃの外側に延びる取付台連結部３ｄと背板２に固着する取付台３ｆとから成るものである。
【００１７】
次に、枢動基部３ｂは板状のもので、一辺に中仕切１ｃに設けた枢動軸受部１ａに嵌入させて枢動の支点となる枢動軸支点３ａを形成し、他辺には湾曲部側係止部３ｄを形成しており、枢動軸支点３ａを支点として枠体１の中仕切１ｃの内側を枢動するもので、湾曲部側係止部３ｄは枠体１が開状態の時中仕切側係止部１ｄと係止すると共に、閉状態の時は湾曲部側係止部３ｄの頂部を平坦状に形成しており、該平坦部が中仕切１ｃの内側の平坦な基部部分と密接することによりクリック感を有して係止されるものである。
【００１８】
次いで、湾曲部３ｃは枢動基部３ｂの他辺近傍から延設させおり、中仕切１ｃの内側形状と略同形状の断面略円弧状のもので、先端辺には枠体１と中間継手３とを枢動可能とするように中仕切１ｃの先端辺を跨いで枠体１の外側に延びる取付台連結部３ｄを延設しいるものである。
【００１９】
更に、取付台３ｆは取付台連結部３ｄに延設した平坦状のもので、取付台３ｆの中央に背板２にビスで固着する固着部３ｅを形成しても、取付台３ｆの平坦面を固着部３ｅとして接着しても、固着具を介装させて背板２に固着させても構わないものである。
【００２０】
更には、湾曲部側揺動部３ｇは湾曲部３ｃの内側に立設したもので、実施例では湾曲部３ｃの下方から１対の逆Ｕ字状のリブを枢動基部３ｂと平行に立設させ、後述するシーソー杆４に設けたシーソー杆側揺動部４ａを挿通させ、シーソー杆４の揺動の支点となるものである。
【００２１】
そして、シーソー杆４は棒状のもので、上方の両端には指で押圧して揺動させるための押圧部４ｂを形成し、中央下方には湾曲部側揺動部３ｇに揺動可能に装着するＵ字状に膨出させたシーソー杆側揺動部４ａを形成しているものであるが、シーソー杆側揺動部４ａと湾曲部側揺動部３ｇとは揺動する構造であれば特に限定しないものである。
【００２２】
更に、弾性規制部４ｃはシーソー杆４の巾方向に膨出させて形成させ、シーソー杆４を揺動させることで枢動基部３ｂと湾曲部３ｃとの開口に挿脱し、図４に図示する如く、開口に挿入された時は枢動基部３ｂと湾曲部３ｃとの弾性は規制され枠体１と中間継手３との枢動はロックされるもので、図５に図示する如く、開口の上方に位置した時は枢動基部３ｂと湾曲部３ｃとの弾性がフリーと成り、枠体１と中間継手３との枢動が可能となるものである。
【００２３】
先ず、図２又は図３に図示する如く、中間継手３の取付台３ｆに形成した固着部３ｅを背板２の適宜位置にビス又は接着剤、固着具等により固着して、枠体１の端部に中間継手３を挿入し、枠体１をスライドさせてさせるものである。
【００２４】
次に、図４に図示する如く、中間継手３の湾曲部３ｃの内側に立設した湾曲部側揺動部３ｇにシーソー杆４に形成したシーソー杆側揺動部４ａを嵌着させるもので、この状態で弾性規制部４ｃは枢動基部３ｂと湾曲部３ｃとの開口に挿入されており、枢動基部３ｂと湾曲部３ｃとの弾性が規制されて枠体１と中間部継手３の枢動はロックされているものである。
【００２５】
そして、シーソー杆４の片方の押圧部４ｂを押圧することにより、図５に図するように、弾性規制部４ｃは枢動基部３ｂと湾曲部３ｃとの開口から外されて枠体１と中間継手３の枢動は可能となるものである。
【００２６】
そして、図１に図示するパネル体は、角部継手５を用いたもので、本願発明の出願人が先に開示した特許文献４の角部継手５を用いて良好なもので、角部継手５は２本の枠体１の端部を直交する方向に且つ枢動可能に固定するもので、直角に配設された板状の角部継手枢動基部の一辺に枠体１の枢動軸受部１ａに嵌入する角部継手枢動軸支点を形成し、前記角部継手枢動基部の他辺から枠体１の中仕切１ｃの内側形状と略同形状の角部継手湾曲部を延設すると共に、該角部継手湾曲部の先端辺に前記枠体１の中仕切側係止部１ｄと係止する角部継手湾曲部側係止部を形成し、前記角部継手枢動基部の他辺には前記枠体１の中仕切１ｃの裏側を枢動自在として開状態の時に中仕切側係止部１ｄと係止する角部継手枢動基部側係止部を形成しているものである。
【００２７】
つまり、本発明のパネル体用中間継手は、図１に図示する如く、４本の枠体１と４つの角部継手５とにより、矩形状の大型のパネル体として組み込み、夫々の枠体１の適宜な中間位置に中間継手３を配設しても、角部の近傍に中間継手３を配設して取付台３ｇの固着部３ｆを背板２に固着することにより、角部継手５を無くすることも可能なものである。
【産業上の利用可能性】
【００２８】
本発明のパネル体用中間継手は、特に大型の展示用のパネル体に用いて好適なパネル体の中間継手であり、パネル体の長さを有する枠体の中程の中膨れを防止したり、補強したり、角部継手を不要とするものである。
【図面の簡単な説明】
【００２９】
【図１】図１は本発明のパネル体用中間継手の実施例で従来のパネル体に用いた全体斜視図である。
【図２】図２は本発明のパネル体用中間継手の実施例の要部側面説明図である。
【図３】図３は本発明のパネル体用中間継手の実施例の要部の裏側からの一部断面とした要部斜視図である。
【図４】図４は本発明のパネル体用中間継手の実施例の原理を説明するロック状態を示す側面説明図である。
【図５】図５は本発明のパネル体用中間継手の実施例の原理を説明する解放状態を示す側面説明図である。
【符号の説明】
【００３０】
Ａ      表装板
Ａａ    展示物
１      枠体
１ａ    把持用枠体
１ａ    枢動軸受部
１ｂ    係着部
１ｃ    中仕切
１ｄ    中仕切側係止部
１ｅ    中間部継手取付部
２      背板
３      中間継手
３ａ    枢動軸支点
３ｂ    枢動基部
３ｃ    湾曲部
３ｄ    湾曲部側係止部
３ｅ    取付台連結部
３ｆ    固着部
３ｇ    取付台
３ｈ    湾曲部側揺動部
４      シーソー杆
４ａ    シーソー杆側揺動部
４ｂ    押圧部
４ｃ    弾性規制部
５  角部継手
【図１】
2007061550.tif 000003
【図２】
2007061550.tif 000004
【図３】
2007061550.tif 000005
【図４】
2007061550.tif 000006
【図５】
2007061550.tif 000007